(57)【要約】【課題】異なる医療機関において、患者の過去の診察記録や身体的情報にもとづき共通した診察や治療を可能とするとともに、その診察にもとづき適切な療法情報を患者自身の端末で取得することを可能とする。【解決手段】患者ごとに作成され、医療機関端末が、健康管理情報を記録するカルテカードと、カルテカードに記録された健康管理情報を読み込んで表示し、管理機関サーバから症状情報を受信して、症状情報にもとづき患者の診察結果に対応する症状ＩＤをカルテカードに記録する医療機関端末と、医療機関端末に症状情報を送信するとともに、患者端末に療法情報を送信する管理機関サーバと、カルテカードに記録された症状ＩＤと必要な健康管理情報にもとづいて、管理機関サーバから療法情報を受信する患者端末と、医療機関端末、管理機関サーバ及び患者端末を接続する通信回線とを有する共通医療サービス提供システム。【選択図】　　　図１
2004013316.tif 000002
【特許請求の範囲】
【請求項１】
患者の健康管理情報を記録するカルテカードを読み込んだ患者端末が、前記カルテカードに記録された情報にもとづき、通信回線を介して管理機関サーバから療法情報を受信する共通医療サービス提供システムであって、患者ごとに作成され、医療機関端末が、前記健康管理情報を記録する前記カルテカードと、
前記カルテカードに記録された前記健康管理情報を読み込んで表示するとともに、前記管理機関サーバから症状情報を受信して、前記症状情報にもとづき患者の診察結果に対応する症状ＩＤを前記カルテカードに記録する前記医療機関端末と、
前記症状情報及び前記療法情報を記憶しており、前記医療機関端末の要求にもとづいて、前記医療機関端末に前記症状情報を送信するとともに、前記患者端末の要求にもとづいて、前記患者端末に前記療法情報を送信する前記管理機関サーバと、
前記カルテカードに記録された症状ＩＤと必要な健康管理情報にもとづいて、前記管理機関サーバから前記療法情報を受信する前記患者端末と、
前記医療機関端末、前記管理機関サーバ及び前記患者端末を接続する通信回線とを有する
ことを特徴とする共通医療サービス提供システム。
【請求項２】
前記患者端末が、前記療法情報にもとづき実行された療法内容を前記カルテカードに記録することを特徴とする請求項１記載の共通医療サービス提供システム。
【請求項３】
前記共通医療サービス提供システムが、
前記カルテカードに記録された情報を読み込んで前記健康管理情報を表示するとともに、患者に対する処方内容を前記カルテカードに記録する薬局端末と、
前記カルテカードに記録された前記健康管理情報を読み込んで表示するとともに、前記管理機関サーバから症状情報を受信して、前記症状情報にもとづき患者の診察結果に対応する症状ＩＤを前記カルテカードに記録する他の医療機関端末とを有する
ことを特徴とする請求項１又は２記載の共通医療サービス提供システム。
【請求項４】
前記医療機関端末又は前記他の医療機関端末が、
前記症状ＩＤの記録に際し、前記管理機関サーバから症状情報を受信して、この症状情報にもとづき症状名又は症状の内容を表示し、前記症状名又は前記症状の内容を選択入力するとともに、この選択入力に対応する前記症状ＩＤを前記カルテカードに記録する
ことを特徴とする請求項１〜３のいずれかに記載の共通医療サービス提供システム。
【請求項５】
前記カルテカードが、Ｊａｖａ（登録商標）ＶＭを搭載するＩＣカードであることを特徴とする請求項１〜４のいずれかに記載の共通医療サービス提供システム。
【請求項６】
前記療法情報が、少なくとも生活療法又は食事療法のいずれかであることを特徴とする請求項１〜５のいずれかに記載の共通医療サービス提供システム。
【請求項７】
患者の健康管理情報を記録するカルテカードを読み込んだ患者端末が、前記カルテカードに記録された情報にもとづき、通信回線を介して管理機関サーバから療法情報を受信する共通医療サービス提供方法であって、
医療機関端末が、前記カルテカードの挿入を受けて、患者のパスワードを入力し、前記カルテカードに記録された前記健康管理情報を読み込んで表示するとともに、前記管理機関サーバから症状情報を受信して、前記症状情報にもとづき患者の診察結果に対応する症状ＩＤを前記カルテカードに記録し、
前記患者端末が、前記カルテカードの挿入を受けて、患者のパスワードを入力し、前記カルテカードに記録された症状ＩＤと必要な健康管理情報を読み込み、この症状ＩＤと必要な健康管理情報にもとづいて、前記管理機関サーバから前記療法情報を受信する
ことを特徴とする共通医療サービス提供方法。
【請求項８】
前記患者端末が、前記管理機関サーバから受信した前記療法情報にもとづき実行された療法内容を前記カルテカードに記録することを特徴とする請求項７記載の共通医療サービス提供方法。
【請求項９】
前記医療機関端末が、前記症状ＩＤを前記カルテカードに記録した後に、
薬局端末が、前記カルテカードの挿入を受けて、患者のパスワードを入力し、前記カルテカードに記録された前記健康管理情報を読み込んで表示するとともに、患者に対する処方内容を前記カルテカードに記録する
ことを特徴とする請求項７又は８記載の共通医療サービス提供方法。
【請求項１０】
前記医療機関端末が、前記症状ＩＤを前記カルテカードに記録した後に、
他の医療機関端末が、前記カルテカードの挿入を受けて、患者のパスワードを入力し、前記カルテカードに記録された前記健康管理情報を読み込んで表示するとともに、前記管理機関サーバから症状情報を受信して、前記症状情報にもとづき患者の診察結果に対応する症状ＩＤを前記カルテカードに記録する
ことを特徴とする請求項７〜９のいずれかに記載の共通医療サービス提供方法。
【請求項１１】
医療機関端末に、通信回線を介して管理機関サーバから症状情報を受信させ、患者ごとの健康管理情報をカルテカードに記録させる共通医療サービス提供プログラムであって、
前記カルテカードが、前記医療機関端末に挿入され、かつ、患者のパスワードが、前記医療機関端末に入力されると、
前記医療機関端末に、
前記カルテカードに記録された前記健康管理情報を読み込んで表示させるとともに、前記管理機関サーバから症状情報を受信させて、前記症状情報にもとづく患者の診察結果に対応する症状ＩＤを、前記カルテカードに記録させる
ことを実行させるための共通医療サービス提供プログラム。
【請求項１２】
患者端末に、通信回線を介して管理機関サーバから療法情報を受信させ、実施した療法内容をカルテカードに記録させる共通医療サービス提供プログラムであって、
前記カルテカードが、前記患者端末に挿入され、かつ、患者のパスワードが、前記患者端末に入力されると、
前記患者端末に、
前記カルテカードに記録された症状ＩＤと必要な健康管理情報を読み込ませ、この症状ＩＤと必要な健康管理情報にもとづいて、前記管理機関サーバから前記療法情報を受信させるとともに、入力された療法内容を前記カルテカードに記録させる
ことを実行させるための共通医療サービス提供プログラム。
【発明の詳細な説明】
【０００１】
【発明の属する技術分野】
本発明は、医療機関端末が、患者ごとの健康管理情報をカルテカードに記録し、このカルテカードを読み込んだ患者端末が、前記カルテカードに記録された情報にもとづき、通信回線を介して管理機関サーバから療法情報を受信する共通医療サービス提供システム、方法及びプログラムに関する。
【０００２】
【従来の技術】
旅行先などで病気になってしまった時などに、かかりつけの医師が普段施してくれる処方、投薬などと同じレベルの医療サービスを受けたいことがある。
これは、個人ごとにアレルギーや、特効薬を必要とするといった身体的特徴があるため、できるだけそれらの情報を保有している医師や、医療機関から医療サービスを受ける方が安心できるからである。
【０００３】
しかし、現在の医療環境では、このようなサービスを受けることは、非常に難しい。なぜなら、医療機関同士での患者の情報の共有化は、ほとんど行われておらず、行われているとしても特定の医療機関同士や、医療機関グループ内で閉じたものとなってしまっているからである。
このため、新しい医療機関に行くたびに、新しい医師に自分の病状や持病等の情報を伝えなければならない。また、服用している薬や身体的特徴による、施してはいけない処方、投薬など、医者でないと知り得ない情報がある場合などは、十分に伝えることができない。
【０００４】
このような問題を解決することの可能な手段として、特開平１０−７９７７０号公報、特開２００１−３５７１２９号公報等に提案されているような医療情報の管理システムを挙げることができる。
これらは、医療情報の記録のために、ＩＣカードを使用し、異なる医療機関において、患者の診察記録などを参照したり、追加したりすることを可能としている。
そして、複数の異なる医療機関等において、共通の医療情報を利用することが可能となっている。
【０００５】
【発明が解決しようとする課題】
しかしながら、このような従来のシステムなどによっては、投薬などによる病状の改善を図ることはできるが、食事や生活習慣そのものから病状を改善することは困難であった。
このため、生活習慣病などに対しても、効果的に対処することの可能な医療サービスシステムの提供が望まれていた。
【０００６】
本発明は、上記の事情にかんがみなされたものであり、医療機関端末が、患者ごとの健康管理情報をカルテカードに記録し、このカルテカードを挿入した患者端末が、前記カルテカードに記録された情報にもとづき、通信回線を介して管理機関サーバから療法情報を受信する共通医療サービス提供システム、方法及びプログラムの提供を目的とする。
【０００７】
【課題を解決するための手段】
上記目的を達成するため、本発明の請求項１記載の共通医療サービス提供システムは、患者の健康管理情報を記録するカルテカードを読み込んだ患者端末が、カルテカードに記録された情報にもとづき、通信回線を介して管理機関サーバから療法情報を受信する共通医療サービス提供システムであって、患者ごとに作成され、医療機関端末が、健康管理情報を記録するカルテカードと、カルテカードに記録された健康管理情報を読み込んで表示するとともに、管理機関サーバから症状情報を受信して、症状情報にもとづき患者の診察結果に対応する症状ＩＤをカルテカードに記録する医療機関端末と、症状情報及び療法情報を記憶しており、医療機関端末の要求にもとづいて、医療機関端末に症状情報を送信するとともに、患者端末の要求にもとづいて、患者端末に療法情報を送信する管理機関サーバと、カルテカードに記録された症状ＩＤと必要な健康管理情報にもとづいて、管理機関サーバから療法情報を受信する患者端末と、医療機関端末、管理機関サーバ及び患者端末を接続する通信回線とを有する構成としてある。
【０００８】
共通医療サービス提供システムをこのような構成にすれば、患者は、受診する医療機関に拘わらず、普段と同じ処方、投薬を受けることができることに加え、カルテカードを用いて、自分の症状に応じた食事療法などの療法情報を、患者端末から受信し、その療法を実行することが可能となる。
【０００９】
また、患者の健康管理情報は、カルテカードにて管理されるため、特定の医療機関端末や、管理機関サーバにおいては、バックアップとしての管理は別として、健康管理情報を保有する必要がない。
この管理機関サーバは、療法情報の提供を行うが、医療機関が複数ある場合であっても、共通する一の療法情報を保有するのみでよく、その構築や管理は、困難なものではない。
【００１０】
本発明の請求項２記載の共通医療サービス提供システムは、患者端末が、療法情報にもとづき実行された療法内容をカルテカードに記録する構成としてある。共通医療サービス提供システムをこのような構成にすれば、患者は、患者端末を用いて、実行した療法内容を記録することができるため、病院において、医師は、その情報を参考にし、生活指導などを行うことも可能となる。
【００１１】
本発明の請求項３記載の共通医療サービス提供システムは、共通医療サービス提供システムが、カルテカードに記録された情報を読み込んで健康管理情報を表示するとともに、患者に対する処方内容をカルテカードに記録する薬局端末と、カルテカードに記録された健康管理情報を読み込んで表示するとともに、管理機関サーバから症状情報を受信して、症状情報にもとづき患者の診察結果に対応する症状ＩＤをカルテカードに記録する他の医療機関端末とを有する構成としてある。
【００１２】
共通医療サービス提供システムをこのような構成にすれば、カルテカードを特定の医療機関内に限ることなく、薬局や、他の医療機関においても、同一のカルテカードを共通して使用することができる。
このため、患者は、初めて訪れる医療機関においても、それまで診察を受けていた医療機関と同様の情報量にもとづいて診察を受けることができるとともに、新たな病気が発覚した場合でも、過去の統計的な受診情報をもとに、適切な処方を各医療機関などから受けることが可能となる。
また、これに加えて患者は、普段と異なる医療機関で診察を受けた場合でも、カルテカードに記録される症状ＩＤにもとづいて、普段と同様の基準で設定された療法情報を、患者端末を用いて受信することが可能となる。
【００１３】
本発明の請求項４記載の共通医療サービス提供システムは、医療機関端末又は他の医療機関端末が、症状ＩＤの記録に際し、管理機関サーバから症状情報を受信して、この症状情報にもとづき症状名又は症状の内容を表示し、症状名又は症状の内容を選択入力するとともに、この選択入力に対応する症状ＩＤをカルテカードに記録する構成としてある。
【００１４】
共通医療サービス提供システムをこのような構成にすれば、医療機関における医師は、管理機関サーバから受信した症状情報にもとづき、容易に症状ＩＤを入力することの可能なＧＵＩ（Ｇｒａｐｈｉｃａｌ　Ｕｓｅｒ　Ｉｎｔｅｒｆａｃｅ）画面などを用いて、診察結果に対応する症状ＩＤをカルテカードに記録することが可能となる。
【００１５】
本発明の請求項５記載の共通医療サービス提供システムは、カルテカードが、Ｊａｖａ（登録商標）ＶＭを搭載するＩＣカードである構成としてある。
共通医療サービス提供システムをこのような構成にすれば、Ｊａｖａ（登録商標）ＶＭ（Ｊａｖａ　Ｖｉｒｔｕａｌ　Ｍａｃｈｉｎｅ：ジャバ仮想マシン）をカルテカードに搭載することにより、医療機関端末、薬局端末、患者端末等が、異なるＯＳを使用するものであっても、一枚のカルテカードで共通して利用することが可能となる。
【００１６】
本発明の請求項６記載の共通医療サービス提供システムは、療法情報が、少なくとも生活療法又は食事療法のいずれかである構成としてある。
共通医療サービス提供システムをこのような構成にすれば、患者は、医療機関における診察結果に応じた生活療法や食事療法の情報を、自分が所有する患者端末などを用いて、管理機関サーバから受信し、この情報にもとづき自己管理を行うことが可能となる。
これによって、患者は、薬などによる治療のみならず、生活療法や食事療法によって、症状を改善することができるとともに、その病気の予防をすることも可能となる。
【００１７】
本発明の請求項７記載の共通医療サービス提供方法は、患者の健康管理情報を記録するカルテカードを読み込んだ患者端末が、カルテカードに記録された情報にもとづき、通信回線を介して管理機関サーバから療法情報を受信する共通医療サービス提供方法であって、医療機関端末が、カルテカードの挿入を受けて、患者のパスワードを入力し、カルテカードに記録された健康管理情報を読み込んで表示するとともに、管理機関サーバから症状情報を受信して、症状情報にもとづき患者の診察結果に対応する症状ＩＤをカルテカードに記録し、患者端末が、カルテカードの挿入を受けて、患者のパスワードを入力し、カルテカードに記録された症状ＩＤと必要な健康管理情報を読み込み、この症状ＩＤと必要な健康管理情報にもとづいて、管理機関サーバから療法情報を受信する方法としてある。
【００１８】
共通医療サービス提供方法をこのような方法にすれば、医療機関において診察された患者の受診記録や身体的情報などの健康管理情報を、その患者のカルテカードに記録することができることに加え、診察した病気の症状に対応する症状ＩＤを記録することができる。
このため、患者は、自宅などにおいても、自分の所有する患者端末などを用いて、この症状ＩＤにもとづき管理機関サーバから、自分の症状に応じた療法情報を受信することができ、この療法を実行することにより、薬などによる治療のみならず、生活面からの症状の改善を行うことが可能となる。
【００１９】
本発明の請求項８記載の共通医療サービス提供方法は、患者端末が、管理機関サーバから受信した療法情報にもとづき実行された療法内容をカルテカードに記録する方法としてある。
【００２０】
共通医療サービス提供方法をこのような方法にすれば、患者は、管理機関サーバから療法情報を受信するとともに、この療法情報にもとづいて実行した療法内容を、自分の所有する患者端末などを用いて記録することにより、医療機関から、より適切な診察や指導を受けることが可能となる。
【００２１】
本発明の請求項９記載の共通医療サービス提供方法は、医療機関端末が、症状ＩＤをカルテカードに記録した後に、薬局端末が、カルテカードの挿入を受けて、患者のパスワードを入力し、カルテカードに記録された健康管理情報を読み込んで表示するとともに、患者に対する処方内容をカルテカードに記録する方法としてある。
【００２２】
共通医療サービス提供方法をこのような方法にすれば、患者は、薬局においても、カルテカードを利用して薬の処方を受けることができ、患者と、薬局の双方にとって、利便性が向上することとなる。
【００２３】
本発明の請求項１０記載の共通医療サービス提供方法は、医療機関端末が、症状ＩＤをカルテカードに記録した後に、他の医療機関端末が、カルテカードの挿入を受けて、患者のパスワードを入力し、カルテカードに記録された健康管理情報を読み込んで表示するとともに、管理機関サーバから症状情報を受信して、症状情報にもとづき患者の診察結果に対応する症状ＩＤをカルテカードに記録する方法としてある。
【００２４】
共通医療サービス提供方法をこのような方法にすれば、患者は、一つのカルテカードを複数の医療機関で共通して使用することができるため、旅行先で病気になった場合などに、初めて訪れた医療機関においても、普段利用している病院と同様の情報にもとづいて、適切な診察や治療を受けることが可能となる。
【００２５】
本発明の請求項１１記載の共通医療サービス提供プログラムは、医療機関端末に、通信回線を介して管理機関サーバから症状情報を受信させ、患者ごとの健康管理情報をカルテカードに記録させる共通医療サービス提供プログラムであって、カルテカードが、医療機関端末に挿入され、かつ、患者のパスワードが、医療機関端末に入力されると、医療機関端末に、カルテカードに記録された健康管理情報を読み込んで表示させるとともに、管理機関サーバから症状情報を受信させて、症状情報にもとづく患者の診察結果に対応する症状ＩＤを、カルテカードに記録させる構成としてある。
【００２６】
共通医療サービス提供プログラムをこのような構成にすれば、管理機関サーバによって管理されている症状ＩＤを、通信回線を介して医療機関端末に受信させ、カルテカードに記録させることができるため、常に最新の症状ＩＤをカルテカードに記録することが可能となる。
また、複数の異なる医療機関端末により、共通する同一の症状ＩＤをカルテカードに記録することが可能となる。
【００２７】
本発明の請求項１２記載の共通医療サービス提供プログラムは、患者端末に、通信回線を介して管理機関サーバから療法情報を受信させ、実施した療法内容をカルテカードに記録させる共通医療サービス提供プログラムであって、カルテカードが、患者端末に挿入され、かつ、患者のパスワードが、患者端末に入力されると、患者端末に、カルテカードに記録された症状ＩＤと必要な健康管理情報を読み込ませ、この症状ＩＤと必要な健康管理情報にもとづいて、管理機関サーバから療法情報を受信させるとともに、入力された療法内容をカルテカードに記録させる構成としてある。
【００２８】
共通医療サービス提供プログラムをこのような構成にすれば、患者は、自宅のパーソナルコンピュータなどを利用して、管理機関サーバ３０から療法情報を受信することができる。
このため、自分の症状にあった生活療法などの情報を、自由に取得することができ、また、この情報に従って実行した療法内容を、カルテカードに記録し、医療機関における後の診察や治療に活かすことが可能となる。
【００２９】
【発明の実施の形態】
以下、本発明の実施形態につき、図面を参照して説明する。
［第一実施形態］
まず、本発明の第一実施形態について、図１を参照して説明する。同図は、本発明の第一実施形態の共通医療サービス提供システムの構成を示すブロック図である。
図１に示すように、本実施形態の共通医療サービス提供システムは、カルテカード１０、医療機関端末２０、カードリーダ２０ａ、管理機関サーバ３０、患者端末４０、カードリーダ４０ａ、及び通信回線７０を有している。
【００３０】
カルテカード１０は、Ｊａｖａ（登録商標）ＶＭを搭載するＩＣカードであり、医療機関や、医療機関の管理機関等で作成され、患者個人に配布され、患者によって管理されるものである。
カルテカード１０には、これを所持する患者の健康管理情報が記録されている。この健康管理情報は、患者の基本的な身体的情報と、医療機関にかかる度に追記される診察記録を有している。
【００３１】
医療機関端末２０は、医療機関において、医師などによって使用される端末であり、カード処理部２１、表示部２２、入力部２３及び送受信部２４を有している。また、医療機関端末２０には、カルテカード１０を読み取るためのカードリーダ２０ａが接続されている。
カード処理部２１は、カードリーダ２０ａに挿入されたカルテカード１０に対して、情報の読み出しや書き込み、削除などの処理を行う。
【００３２】
また、医療機関端末２０において、そのカルテカード１０を利用するにあたり、そのカルテカード１０を利用するための、患者のユーザ認証を行う。
このユーザ認証は、従来の方法によるものでよく、例えば、ユーザ認証画面を表示部２２に表示して、入力部２３から患者によって、パスワードを入力してもらうことによって行うことなどができる。
なお、このユーザ認証機能をカードリーダ２０ａにもたせるようにすることもできる。
【００３３】
また、カード処理部２１は、医師による診断のための患者の情報として、カルテカード１０から、そのカルテカード１０を所有する患者の健康管理情報を取得して、表示部２２に表示する。
さらに、診断結果に対応する症状情報を、送受信部２４を介して管理機関サーバ３０から受診し、診断結果に対応する症状ＩＤをカルテカード１０に記憶する。
このような医療機関端末２０としては、例えば、パーソナルコンピュータ、ノート型パソコン等を用いることができる。
【００３４】
管理機関サーバ３０は、食事療法などの療法情報や、この療法情報を特定するための症状ＩＤなどの情報を管理する機関が使用する情報処理装置であり、ワークステーションやサーバを用いることができる。また、パーソナルコンピュータ、ノート型パソコン等を用いてもよい。
この管理機関サーバ３０は、症状記憶部３１、療法記憶部３２、医療情報処理部３３、送受信部３４を有している。
【００３５】
症状記憶部３１は、異なる症状ごとに症状ＩＤを割り当て、その症状名や、その症状の内容等の情報とともに記憶する。
また、療法記憶部３２は、各症状ＩＤに対応付けられた療法情報を記憶する。この療法情報としては、例えば、食事療法や生活療法といった、患者が自分で自己管理を行うための情報を挙げることができる。
これらの症状情報及び療法情報は、管理機関などによって、随時アップデートされる。
【００３６】
患者端末４０は、患者が自分で所有する端末などであり、カードリーダ４０ａを接続している。
そして、カルテカード１０の挿入に応じて、そのカルテカード１０に記録された症状ＩＤにもとづいて、管理機関サーバ３０から対応する療法情報を受信して表示し、患者による療法の実施を可能とする。
【００３７】
図１において、患者端末４０内の構成は、特に示していないが、医療機関端末２０と同様の構成とすることができる。
このような患者端末４０としては、医療機関端末２０と同様に、例えば、パーソナルコンピュータ、ノート型パソコン等を用いることができる。
【００３８】
通信回線７０は、従来公知の任意好適な公衆回線、商業回線又は専用回線を用いることができる。また医療機関端末２０、管理機関サーバ３０、患者端末４０のそれぞれの間においては、同一又は別個の通信回線で構成することができる。さらに、通信回線７０は、医療機関端末２０、管理機関サーバ３０、患者端末４０のそれぞれの間を、無線あるいは有線で接続可能な回線であり、例えば、公衆回線網、専用回線網、インターネット回線網及びイントラネット網により構成することができる。
【００３９】
次に、第一実施形態の共通医療サービス提供システムにおける処理手順について、図２を参照して説明する。同図は、本実施形態の共通医療サービス提供システムにおける処理手順を示す動作手順図である。
【００４０】
まず、医療機関において、患者のカルテカード１０が、医療機関端末２０に挿入されると、医療機関端末２０は、カルテカード１０を認識する（ステップ１０）。
次に、患者が医療機関端末２０の入力部２３からパスワードを入力すると、医療機関端末２０のカード処理部２１は、ユーザ認証を行う（ステップ１１）。
【００４１】
このユーザ認証は、カルテカード１０に記録された患者のパスワードと、入力されたパスワードが一致することを確認することによって行うことができる。
このため、医療機関などにおいてカルテカード１０を発行するにあたり、患者に自分のパスワードを決めてもらって、これをカルテカード１０に記憶させておくことが好ましい。
また、カルテカード１０の発行にあたり、患者のパスワードなどを管理機関サーバ３０に記憶させ、ユーザ認証の際に、患者端末４０が管理機関サーバ３０にアクセスすることによって、ユーザ認証を行うようにすることもできる。
【００４２】
ユーザ認証に成功すると、医療機関端末２０は、カルテカード１０から患者の健康管理情報を読み取って、これを表示部２２に表示する（ステップ１２）。
これによって、医師は、その患者の身体的情報や、それまで受けてきた診察記録を把握することができ、よりよい診察に活かすことができる（ステップ１３）。
【００４３】
次に、医療機関端末２０は、管理機関サーバ３０から症状ＩＤを含む症状情報を受信する（ステップ１４，１５）。
そして、この症状情報にもとづき、患者の診察結果に対応する病状の症状ＩＤをカルテカード１０に記録する（ステップ１６）。
このとき、管理機関サーバ３０には、医療機関端末２０がカルテカード１０に症状ＩＤを簡単に記録することができるような、症状ＩＤ設定画面を保有させることが好ましい。
【００４４】
例えば、この症状ＩＤ設定画面に、各症状の名称や説明を含む一覧を表示させ、患者の症状に当てはまるものを選択することによって、対応する症状ＩＤが、カルテカード１０に記録されるようにすることができる。
また、医療機関端末２０は、医師の入力にもとづいて、症状ＩＤ以外の診察内容についても、カルテカード１０に書き込む。
【００４５】
次に、患者は、自宅などにおいて、自分の所有する患者端末４０等を用いて、自分の症状にあった療法情報を得ることができる。
すなわち、患者端末４０に接続されたカードリーダ４０ａにカルテカード１０を挿入し、患者端末４０がこのカルテカード１０を認識する（ステップ１７）。
【００４６】
次に、このカルテカード１０を使用するために、患者によって、患者端末４０は、パスワードを入力し、ユーザ認証を行う（ステップ１８）。
このユーザ認証が成功すると、患者端末４０は、カルテカード１０に記録された症状ＩＤにもとづいて、管理機関サーバ３０から療法情報を受信して表示する（ステップ１９，２０）。
【００４７】
また、療法情報を症状ＩＤのみならず、患者の年齢や性別、身体的特徴等の情報ごとに詳細に区分して作成しておくことによって、症状ＩＤに、これらの条件も合わせてキーとし、管理機関サーバ３０から療法情報を取得するようにすることもできる。
【００４８】
患者は、この療法情報を参照し、自分の病状に応じた療法を、自分で実行することによって、その症状の改善を図ることが可能となる（ステップ２１）。
そして、患者が実行した療法内容を、カルテカード１０に書き込めるようにすることもできる（ステップ２２）。
このため、療法内容を入力するための専用の画面を、管理機関サーバ３０にもたせることが好ましい。
【００４９】
このような患者端末４０における機能は、患者端末４０上に設けることができる。
すなわち、患者端末４０に上記各処理を実行させるためのプログラムを保有させることによって行うことができる。
【００５０】
また、例えば、各機能を有するＷｅｂページを管理機関サーバ３０に保有させ、患者端末４０がこのＷｅｂページを受信することによって、実行するようにすることもできる。
このとき、カルテカード１０に記録されている症状ＩＤや、患者の年齢や性別、身体的特徴等の情報を自動的に、Ｗｅｂページに設定して、管理機関サーバ３０に送信し、対応する療法情報を受信させることもできる。
また、上記Ｗｅｂページを受信した後に、カルテカード１０を挿入してユーザ認証を行い、療法情報を受信するようにしてもよく、同一の機能が実現されるならば、その詳細な手順は、適宜設定することができる。
【００５１】
なお、上記実施形態においては、医療機関端末２０が、症状ＩＤをカルテカード１０に記録するようにしているが、管理機関サーバ３０に患者情報を保有させる場合には、患者ＩＤごとに症状ＩＤを、管理機関サーバ３０に記録することもできる。
この場合、患者端末４０は、カルテカード１０に記録されている患者ＩＤをキーとして、この患者ＩＤに対応する症状ＩＤの症状情報を管理機関サーバ３０から受信する。
【００５２】
共通医療サービス提供システムにおける処理手順をこのような手順とすると、患者は、医師によって、カルテカードに、自分の診察内容に応じた症状ＩＤの記録を受け、これにもとづき自分で管理機関サーバから療法情報を受信することができる。
そして、この療法情報に従って、自分で病状改善のための食事療法や、生活療法を行うことが可能となる。
また、病気の回復後もこのような食事療法などを続けることにより、同様の病気の再発を予防することも可能となる。
【００５３】
［第二実施形態］
次に、本発明の第二実施形態につき、図３及び図４を参照して説明する。図３は、本発明の第二実施形態の共通医療サービス提供システムの構成を示すブロック図であり、図４は、同システムにおける処理手順を示す動作手順図である。
【００５４】
本実施形態の共通医療サービス提供システムは、第一実施形態の構成に加え、薬局端末５０及び医療機関端末６０を有する点で、第一実施形態と異なる。
薬局端末５０は、カード処理部５１、表示部５２、入力部５３及び送受信部５４を有している。また、医療機関端末６０は、カード処理部６１、表示部６２、入力部６３及び送受信部６４を有している。
【００５５】
これら薬局端末５０及び医療機関端末６０の各構成要素の機能は、医療機関端末２０が有する各構成要素の機能と同様である。
また、薬局端末５０及び医療機関端末６０は、それぞれカードリーダ５０ａ、カードリーダ６０ａを接続するが、これらの機能も医療機関端末２０に接続されたカードリーダ２０ａの機能と同様とすることができる。
【００５６】
次に、図４を用いて、本実施形態の共通医療サービス提供システムの処理手順について説明する。
まず、医療機関端末２０において、カルテカード１０の認識が行われ、診察結果がカルテカード１０に書き込まれるまでの動作（ステップ３０〜ステップ３６）は、第一実施形態における動作（ステップ１０〜ステップ１６）と同様である。
【００５７】
次に、患者が、薬の処方を受けるために、カルテカード１０をもって薬局に行く場合を想定している。
薬局端末５０は、カルテカード１０の挿入を受けると、カルテカード１０を認識し（ステップ３７）、患者によるパスワードの入力に対して、ユーザ認証を実行する（ステップ３８）。
【００５８】
そして、カルテカード１０から患者の健康管理情報を読み出し、この情報に含まれる処方箋を表示する（ステップ３９）。
薬剤師は、この処方箋を参照して、薬の処方を行う（ステップ４０）。そして、薬局端末５０を用いて、カルテカード１０に処方内容を記録する（ステップ４１）。この処方内容は、処方した薬の種類や処方量等の投薬情報を有するものである。
【００５９】
次に、この患者が後に、旅行先などで病気になった場合に、普段通っている医療機関とは、別の医療機関に行く場合を想定している。
このときも、医療機関端末２０における処理と同様の処理が、この別の医療機関における医療機関端末６０において行われる。
すなわち、カルテカード１０を認識する動作から、診察結果をカルテカード１０に記録するまでの動作（ステップ４２〜ステップ４８）は、医療機関端末２０における動作（ステップ３０〜ステップ３６）と同様である。
【００６０】
その後、患者は、自宅の患者端末４０などを用いて、医療機関端末２０及び医療機関端末６０において、記録された症状ＩＤにもとづき療法情報を管理機関サーバから受信して、食事療法や生活療法等を実行することが可能となる。
この患者端末４０における動作（ステップ４９〜ステップ５４）は、第一実施形態における動作（ステップ１７〜ステップ２２）と同様である。
【００６１】
なお、本実施形態においては、医療機関端末６０における動作の後に、患者端末４０を用いた療法情報の参照が行われるようになっているが、この療法情報の参照は、医療機関端末２０における動作の後など、任意のタイミングで行うことが可能である。
【００６２】
共通医療サービス提供システムにおける処理手順をこのような手順とすると、患者は、異なる医療機関などにおいても、カルテカード１０に記録された自分の健康管理情報にもとづいて、共通した診察を受けることができる。
また、これらの異なる医療機関において記録された症状ＩＤにもとづいて、共通した療法情報を管理機関サーバ３０から受診し、自分で食事療法や生活療法等を行い、病状の改善を図ることが可能となる。
【００６３】
上記の実施形態における症状ＩＤのカルテカード１０への書き込みや、療法情報の受信等は、共通医療サービス提供プログラムにより実行される。
この共通医療サービス提供プログラムは、コンピュータの各構成要素に指令を送り、所定の処理、例えば、症状ＩＤのカルテカード１０への書き込み処理や、療法情報の受信処理等を行わせる。
これによって、これらの処理は、共通医療サービス提供プログラムとコンピュータとが協働した医療機関端末２０、患者端末４０等により実現される。
【００６４】
なお、共通医療サービス提供プログラムは、コンピュータのＲＯＭやハードディスクに記憶させる他、コンピュータ読み取り可能な記録媒体、たとえば、外部記憶装置及び可搬記録媒体等に格納することができる。
外部記憶装置とは、磁気ディスク等の記録媒体を内蔵し、例えば医療機関端末２０などに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００６５】
そして、記録媒体に記録されたプログラムは、コンピュータのＲＡＭにロードされて、ＣＰＵにより実行される。この実行により、上述した本実施形態の医療機関端末２０、患者端末４０等の機能が実現される。
さらに、コンピュータで共通医療サービス提供プログラムをロードする場合、他のコンピュータで保有された共通医療サービス提供プログラムを、通信回線を利用して自己の有するＲＡＭや外部記憶装置にダウンロードすることもできる。
【００６６】
このダウンロードされた共通医療サービス提供プログラムも、ＣＰＵにより実行され、本実施形態の症状ＩＤのカルテカード１０への書き込み処理や、療法情報の受信処理等を実現する。
なお、本発明は以上の実施形態に限定されるものではなく、例えば、患者の健康状態を自宅において常時監視するシステムにカルテカード１０を接続して、患者の健康状態の情報をカルテカード１０に記録することにより、自宅における患者の健康状態も医師により把握可能とするなど適宜設計変更できるものである。
【００６７】
【発明の効果】
以上のように、本発明によれば、患者は、受診する医療機関に拘わらず、普段と同じ処方、投薬を受けることができることに加え、カルテカードを用いて、自分の症状に応じた食事療法などの療法情報を、患者端末から受信し、その療法を実行することが可能となる。
また、患者は、患者端末を用いて、実行した療法内容を記録することができるため、病院において、医師は、その情報を参考にし、生活指導などを行うことも可能となる。
【００６８】
さらに、カルテカードを特定の医療機関内に限ることなく、薬局や、他の医療機関においても、同一のカルテカードを共通して使用することができる。
このため、患者は、初めて訪れる医療機関においても、それまで診察を受けていた医療機関と同様の情報量にもとづいて診察や治療を受けることができるとともに、新たな病気が発覚した場合でも、過去の統計的な受診情報にもとづいて、適切な処方などを各医療機関等から受けることが可能となる。
【００６９】
また、患者は、普段と異なる医療機関で診察を受けた場合でも、カルテカードに記録される症状ＩＤにもとづいて、普段利用している医療機関によるものと同様の基準で設定された食事療法などの療法情報を、患者端末を用いて受信することが可能となる。
【００７０】
また、共通医療サービス提供プログラムは、コンピュータの各構成要素へ所定の指令を送ることにより、この症状ＩＤのカルテカードへの書き込み機能や、療法情報の受信機能等を実現させることができる。
これによって、これらの機能等は、共通医療サービス提供プログラムとコンピュータとが協働した医療機関端末、患者端末等により実現可能である。
【図面の簡単な説明】
【図１】本発明の第一実施形態の共通医療サービス提供システムの構成を示すブロック図である。
【図２】本発明の第一実施形態の共通医療サービス提供システムにおける処理手順を示す動作手順図である。
【図３】本発明の第二実施形態の共通医療サービス提供システムの構成を示すブロック図である。
【図４】本発明の第二実施形態の共通医療サービス提供システムにおける処理手順を示す動作手順図である。
【符号の説明】
１０　カルテカード
２０　医療機関端末
２０ａ　カードリーダ
２１　カード処理部
２２　表示部
２３　入力部
２４　送受信部
３０　管理機関サーバ
３１　症状記憶部
３２　療法記憶部
３３　医療情報処理部
３４　送受信部
４０　患者端末
４０ａ　カードリーダ
５０　薬局端末
５０ａ　カードリーダ
５１　カード処理部
５２　表示部
５３　入力部
５４　送受信部
６０　医療機関端末
６０ａ　カードリーダ
６１　カード処理部
６２　表示部
６３　入力部
６４　送受信部
７０　通信回線
【図１】
2004013316.tif 000003
【図２】
2004013316.tif 000004
【図３】
2004013316.tif 000005
【図４】
2004013316.tif 000006